(57)【要約】【課題】カッターブレード１において切刃の手間のかからない迅速な研ぎ直しが可能でありかつカッターブレードが破損しにくく経済的である幾何学形状を提供する。【解決手段】切刃７の刃面８，９と面取り部１２とは、カッター刃６の同一の第１の側部１１に配置されており、カッター刃の厚さ（Ｄ）の減少は、カッター刃の第２の側部（１３）に設けられたテーパー部（１５）によって行われており、若しくはカッター刃は、円弧状の切刃のための所定の研ぎ直し領域を有し、カッター刃の研ぎ直し領域の厚さ（Ｄｎ）は、カッター刃の中央の領域１０８の厚さ（Ｄｍ）よりも小さくなっており、研ぎ直し領域は、互いに少なくともほぼ平行な側面１１７，１１８を有している。【選択図】図１
2010120149.tif 000002
【特許請求の範囲】
【請求項１】
カッターブレード（１）であって、少なくとも部分的に円弧状の平らな取り付け部分（２）及び鎌形のカッター刃（６）を有していて、回転軸線（Ｘ−Ｘ）を中心として回転可能に支承されるようになっており、前記鎌形のカッター刃（６）は、該鎌形のカッター刃の外側に位置する円弧状の切刃（７）及び内側に位置する円弧状の面取り部（１２）を有しており、かつ前記カッター刃（６）の厚さ（Ｄ）は該カッター刃の先端に向かって減少している形式のものにおいて、前記切刃（７）の刃面（８，９）と前記面取り部（１２）とは、前記カッター刃（６）の同一の第１の側部（１１）に配置されており、前記カッター刃（６）の厚さ（Ｄ）の減少は、該カッター刃（６）の第２の側部（１３）に設けられたテーパー部（１５）によって行われていることを特徴とするカッターブレード。
【請求項２】
カッター刃（６）の第１の側部（１１）は回転軸線（Ｘ−Ｘ）に対して垂直に延びており、前記カッター刃（６）の第２の側部（１３）のテーパー部（１５）は、前記カッター刃（６）の、切刃（７）に続く前側の厚さ（Ｄｖ）が前記カッター刃（６）の、面取り部（１２）へつながる後側の厚さ（Ｄｈ）と同じであり、若しくは前記カッター刃（６）の、面取り部（１２）へつながる後側の厚さ（Ｄｈ）よりも大きくなっているように形成されている請求項１に記載のカッターブレード。
【請求項３】
カッター刃（６）の第１の側部（１１）は回転軸線（Ｘ−Ｘ）に対して垂直に延びており、前記カッター刃（６）の第２の側部（１３）のテーパー部（１５）は、前記カッター刃（６）の、切刃（７）に続く前側の厚さ（Ｄｖ′）が前記カッター刃（６）の、面取り部（１２）へつながる後側の厚さ（Ｄｈ′）よりも小さくなっているように形成されている請求項１に記載のカッターブレード。
【請求項４】
テーパー部（１５）は、半径方向に延在している請求項１から３のいずれか１項に記載のカッターブレード。
【請求項５】
テーパー部（１５）は、カッター刃の中央の曲線（１６）に沿って延在している請求項１から３のいずれか１項に記載のカッターブレード。
【請求項６】
カッターブレード（１）であって、少なくとも部分的に円弧状の平らな取り付け部分（２）及び鎌形のカッター刃（６）を有していて、回転軸線（Ｘ−Ｘ）を中心として回転可能に支承されるようになっており、前記カッター刃（６）は、外側に位置する円弧状の切刃（７）及び内側に位置する円弧状の面取り部（１２）を有しており、かつ前記カッター刃（６）の厚さ（Ｄ）は該カッター刃の先端に向かって減少している形式のものにおいて、前記カッター刃（６）は、円弧状の切刃（７）のための所定の幅の研ぎ直し領域（１０９）を有しており、前記カッター刃（６）の前記研ぎ直し領域（１０９）の厚さ（Ｄｎ）は、該カッター刃の中央の領域（１０８）の厚さ（Ｄｍ）よりも小さくなっており、前記研ぎ直し領域（１０９）は、互いに少なくともほぼ平行な側面（１１７，１１８）を有していることを特徴とするカッターブレード。
【請求項７】
研ぎ直し領域（１０９）の幅（Ｂｎ１，Ｂｎ２）はカッター刃（６）の先端に向かって増大している請求項６に記載のカッターブレード。
【請求項８】
研ぎ直し領域（１０９）の幅（Ｂｎ１，Ｂｎ２）は少なくとも二倍に増大している請求項７に記載のカッターブレード。
【請求項９】
研ぎ直し領域（１０９）の第１の側面（１１７）は、カッター刃（６）の第１の側部（１１）に段差なしにつながっており、かつ前記研ぎ直し領域の第２の側面（１１８）は、前記カッター刃（６）の第２の側部（１３）に移行部（１２０）を介してつながっている請求項６から８のいずれか１項に記載のカッターブレード。
【請求項１０】
移行部（１２０）は少なくとも１つの段部によって形成されている請求項９に記載のカッターブレード。
【請求項１１】
移行部はカッター刃の両方の側面に段差なしに移行している請求項９に記載のカッターブレード。
【請求項１２】
移行部は直線形に、凸形に、凹形に、若しくは波形に形成されている請求項１０に記載のカッターブレード。
【請求項１３】
移行部は、少なくとも１つの円弧状の溝（１２０）を備えている請求項９又は１０に記載のカッターブレード。
【請求項１４】
移行部は、２つ若しくは複数の円弧状の溝（１２０）を備えており、該溝は、１つの直線（１２１）若しくは１つの円弧線に沿って配列されている請求項１３に記載のカッターブレード。
【請求項１５】
溝（１１９）の数はカッター刃（６）の先端に向かって減少している請求項１３又は１４に記載のカッターブレード。
【請求項１６】
溝（１１９）は切刃（７）の刃先に対して傾斜して延びている請求項１３から１５のいずれか１項に記載のカッターブレード。
【請求項１７】
内側に位置する円弧状の面取り部（１１２）は、円弧状の１つの溝若しくは円弧状の互いに平行に延びる複数の溝（１２３）を備えている請求項６から１６のいずれか１項に記載のカッターブレード。
【請求項１８】
溝（１１９，１２３）の横断面は円弧面の形に形成されている請求項１３から１７のいずれか１項に記載のカッターブレード。
【請求項１９】
溝の横断面は弓形に形成されている請求項１３から１７のいずれか１項に記載のカッターブレード。
【請求項２０】
溝（１１９，１２３）の幅（Ｂｒ）は、溝（１１９，１２３）の深さ（Ｔｒ）の複数倍である請求項１８又は１９に記載のカッターブレード。
【請求項２１】
隣接の溝（１１９，１２３）は同一の幅（Ｂｒ）及び同一の深さ（Ｔｒ）を有し、若しくは同一の幅（Ｂｒ）又は同一の深さ（Ｔｒ）を有している請求項１８から２０のいずれか１項に記載のカッターブレード。
【請求項２２】
隣接の溝（１１９，１２３）は、該溝間の隆起部の頂部（１２２，１２４）を画定している請求項１８から２１のいずれか１項に記載のカッターブレード。
【請求項２３】
溝間の隆起部の頂部（１２２，１２４）は９０°±２０°の角度（β）を有している請求項２２に記載のカッターブレード。
【請求項２４】
カッターブレードであって、請求項１から５のいずれか１項に記載の構成及び請求項６から２３のいずれか１項に記載の構成を有することを特徴とするカッターブレード。
【請求項２５】
カッター刃は該カッター刃の先端部に、切刃（７）に対して鈍角の角度（α）で形成された横手切刃（１０）を有している請求項１から２４のいずれか１項に記載のカッターブレード。
【請求項２６】
カッターヘッドであって、請求項１から２５のいずれか１項に記載の少なくとも１つのカッターブレードを備えていることを特徴とするカッターヘッド。
【請求項２７】
カッターヘッドであって、請求項２に記載の少なくとも１つのカッターブレード（１）及び請求項３に記載の少なくとも１つのカッターブレード（１）を備えていることを特徴とするカッターヘッド。
【発明の詳細な説明】
【技術分野】
【０００１】
本発明はカッターブレード及びカッターヘッドに関し、殊に、カッターブレードであって、少なくとも部分的に円弧状の平らな取り付け部分及び鎌形のカッター刃を有していて、回転軸線を中心として回転可能に支承されるようになっており、前記鎌形のカッター刃が、該鎌形のカッター刃の外側に位置する円弧状の切刃（ブレードの回転方向で前側、つまり凸側の切刃）及び内側に位置する円弧状の面取り部（後側、つまり凹側の面取り部）を有し、かつ前記カッター刃の厚さ（Ｄ）が半径方向外側に向かって、つまり該カッター刃の先端（穂先）に向かって減少している形式のもの、並びに該少なくとも１つのカッターブレードを含むカッターヘッド（カッター装置）に関する。
【背景技術】
【０００２】
カッターブレード若しくはカッターナイフは、肉、パン若しくはソーセージ材料、或いは食料品等（以下、短く「材料」と称する）を切り刻んで混ぜるために使用され、殊に食肉加工業で装置内に、いわゆるカッター装置内に多様に用いられている。多くの場合に、複数のカッターブレードを軸線方向に並べて駆動軸に固定し、又は同一平面で周方向に分配して駆動軸に固定し、若しくは軸線方向に並べると共に周方向に分配して駆動軸に固定して、カッターヘッド（カッター装置又はカッターユニット）を形成することは公知である（ドイツ連邦共和国特許出願公告第３７３２２３７Ｃ１号明細書）。この場合にカッターブレードの機能は、カッター装置内の材料若しくは素材を所定の大きさに切り刻んで混ぜることにある。カッターブレードは、材料の加工中に生じる剪断及び曲げ力に耐えるものでなければならない。加工中のカッターブレードの破損は、装置の停止だけではなく、カッターヘッドの損傷をもたらし、カッターブレードを交換するだけではなく、損傷を受けたカッターヘッドは、手間若しくはコストを掛けて修理されねばならない。さらにカッターブレードの破損は、破片の散乱によりカッターヘッド内のすべての材料を使用不能なものにしてしまうことになる。
【０００３】
さらに公知のカッターブレード（カッターナイフ）は、半円形の平らな取り付け部分並びに、外側の切刃及び内側の面取り部若しくはアンダーカット部を備えたカッター刃（刃身）によって形成されている（スイス国特許出願公開第６７３２３６Ａ５号明細書）。円形、円弧形若しくは別の形状の取り付け部分を備えたカッターブレードもある。実際に知られているカッターブレードにおいては、カッター刃の厚さはカッター刃の先端に向かって減少している。
【０００４】
一般的なカッターブレードにおいて、先端に向かって先細のカッター刃は、ブレードの狭幅の１つの側（前側の縁部）に本来の切刃として、カッターブレードの回転方向で前側の傾斜部を設けるのに対して、前記側と相対する、別の狭幅の側に、つまり後側に同じく傾斜部若しくはアンダーカット部を設けることによって形成されている。
【０００５】
一般的にカッターブレードのカッター刃、厳密には切刃は使用中に摩耗していく。つまり、切刃は鈍くなり、機能を十分に発揮できなくなる。切刃を研ぎ直す必要がある。摩耗は、カッター刃の回転軸線の領域でよりも切刃の先端で著しく大きくなっている。切刃の三次元形状、つまり傾斜部の湾曲経過及び角度は使用目的に適合されている。切刃の過度な摩耗の後に切刃の形状を再び最適にする場合に、切刃若しくは傾斜部（傾斜面又は刃面）は切刃の先端領域だけではなく、全長にわたって再び研ぎ直されねばならない。研ぎ直し（若しくは砥ぎ直し）は著しい材料切除、ひいては手間を必要とする。
【０００６】
例えば３つ乃至８つのカッターブレードによって構成されたカッターヘッドにおいては、並べて配置された各カッターブレードは互いに異なる機能を有しており、この場合に特に、材料供給側に位置する、つまり軸線方向で外側に位置するカッターブレードは、材料を、内側に位置するカッターブレードへ送るようになっている。カッターヘッド内に供給された材料に向けられているカッターブレードは、送り作用若しくは搬送作用のあるいわゆる送りブレードとして用いられるのに対して、他のカッターブレードはせき止め作用若しくは蓄積作用のあるせき止めブレードとして用いられる。１つのカッターヘッド内にどのようなカッターブレードを一緒に何枚組み込むかは、加工処理すべき材料の硬度、つまり硬さ及び粘性に依存している。このために、１つのカッターヘッド内に組み込まれる複数のカッターブレードは互いに異なる幾何学形状で形成されていてよい。
【特許文献１】ドイツ連邦共和国特許出願公告第３７３２２３７Ｃ１号明細書
【特許文献２】スイス国特許出願公開第６７３２３６Ａ５号明細書
【発明の開示】
【発明が解決しようとする課題】
【０００７】
冒頭に述べた形式のカッターブレードに課せられる前述の種々の要求に鑑み、本発明の課題は、切刃の手間のかからない迅速な研ぎ直しが可能でありかつカッターブレードが破損しにくく経済的である幾何学形状を提供することである。
【課題を解決するための手段】
【０００８】
上記課題は、請求項１若しくは６に記載の構成によって解決される。
【０００９】
前記課題を解決するために本発明では、カッターブレードであって、回転軸線を中心として少なくとも部分的に円弧状の延びる平らな取り付け部分及び鎌形のカッター刃を有していて、回転軸線を中心として回転可能に支承されるようになっており、前記鎌形のカッター刃は、該鎌形のカッター刃の外側に位置する円弧状の切刃及び内側に位置する円弧状の面取り部を有しており、かつ前記カッター刃の厚さは該カッター刃の先端に向かって減少している形式のものにおいて、前記切刃の刃面と前記面取り部とは、前記カッター刃の同一の第１の側部に配置されており、前記カッター刃の厚さの減少は、該カッター刃の第２の側部に設けられたテーパー部（傾斜部）によって行われている。
【００１０】
本発明の構成により、切刃の刃面（傾斜面又は平地）も面取り部（背の傾斜部又はアンダーカット部）もブレード刃（刃身）の同一の側部（側面）に配置すると共に、ブレード刃の通常のテーパー部は別の側部（相対する側部）に配置してある。
【発明の効果】
【００１１】
本発明に基づくカッターブレードは、今日慣用のものと異なり、横断面で見て、迎角の極めて小さいプロペラ翼に類似している。実験において、本発明に基づくカッターブレードを用いることにより、カッター内での材料、特に食肉の引き込み並びに切り刻みの改善を確認している。材料は回転方向に強く送られ、材料の供給方向若しくは流れ方向に対するカッターブレードの安定性も改善されている。カッターヘッド内の最初のカッターブレードと次のカッターブレードとの間で材料は良好に圧縮されつつ、効果的に細かく切り刻まれる。個々のカッターブレードは材料流出によりもはや著しくはたわまされず、過負荷に起因する破損は避けられるようになっている。カッター刃は先端で薄く形成されていてよく、材料内での回転に際してわずかな抵抗しか生ぜしめない。このことは必要な駆動力を減少させ、ひいてはエネルギー、つまり電力消費を節減することになる。
【００１２】
本発明の実施態様により、カッター刃の第１の側部（側面）はカッターブレードの回転軸線に対して垂直に延びており、カッター刃の第２の側部のテーパー部（傾斜部）は、カッター刃の、切刃に続く部分、つまり切刃に隣接の部分の厚さがカッター刃の、面取り部へつながる部分、つまり面取り部に隣接の部分の厚さと同じであり、若しくはカッター刃の、面取り部へつながる部分の厚さよりも大きくなっているように形成され、すなわち、カッター刃の鎬地の厚さが切刃の側から面取り部の側に向かって減少するように形成されていることに基づき、前述の利点はさらに促進される。上述の形状のカッターブレードは、送りブレードとして効果的に用いられる。
【００１３】
本発明の別の実施態様では、カッター刃の第１の側部は回転軸線に対して垂直に延びており、カッター刃の第２の側部のテーパー部は、カッター刃の、切刃に続く部分の厚さがカッター刃の、面取り部へつながる部分の厚さよりも小さくなっているように形成されている。このようなカッターブレードは、せき止めブレードとして効果的に用いられる。
【００１４】
テーパー部を少なくともほぼ半径方向に若しくは一直線に延在させてある、つまりテーパー部をほぼ半径方向の斜面若しくは直線状の斜面で形成してある製作には簡単な平面研削盤しか必要としない。テーパー部をカッター刃の中央の曲線に沿って延在させてある、つまりテーパー部を曲線に沿った斜面によって形成してある場合には、製作に際して制御式の研削盤を用いるようになっている。
【００１５】
殊に、焼かれた食肉若しくはソーセージ肉等を加工する場合には、カッター刃の先端部に、切刃に対して鈍角の角度で形成された横手切刃若しくは乳化切刃を設けてある。
【００１６】
カッター刃は、円弧状の切刃のための所定の幅若しくは厚さの研ぎ直し領域を有しており、カッター刃の厚さは、研ぎ直し領域で、カッター刃の中央の領域（鎬地）の厚さよりも小さくなっており、つまり研ぎ直し領域は中央領域よりも薄くなっており、研ぎ直し領域（研削領域）は、互いに少なくともほぼ平行な側面を有し、つまり研ぎ直し領域の両方の側面は互いにほぼ平行である。
【００１７】
カッター刃の本発明に基づく形状においては、切刃が鈍くなった場合に切刃を迅速に確実に繰り返し研ぎ直して、最適な鋭利な切刃を生ぜしめることができるようになっている。薄い研ぎ直し領域を設けてあることによって、研ぎ直しを切刃の全長にわたってカッター刃のわずかな材料切除で行うことができ、このことは、研磨剤を用いて行われる作業過程を短くすることにつながり、作業過程時に生じる熱も減少される。研ぎ直し領域を該領域の薄い構造によって研削箇所を明確に見通せるように画定してあるので、カッター刃の過度な研削若しくは研ぎ直しは避けられ、若しくは少なくとも即座に気付くことができる。カッター刃を切刃の領域で薄くし、ひいては切刃の傾斜面の幅を狭くしてあることにより、加工すべき材料に対する切断抵抗は著しく減少されている。これにより、カッターヘッドの駆動のための機械のエネルギー消費も減少される。切刃に生じる高い熱を利用することもできる。
【００１８】
本発明の実施態様では、研ぎ直し領域の幅はカッター刃の先端に向かって増大しており、このことは、切刃の摩耗が切刃の、回転軸線の近傍の領域でよりも切刃の先端で、若しくは切刃の先端領域で大きいことを考慮しているものである。有利な実施態様では、研ぎ直し領域の幅は少なくとも二倍に増大している。
【００１９】
製作を簡単にするために本発明の実施態様では、研ぎ直し領域の第１の側面（刃面のある側）は、カッター刃の第１の側部（鎬地）に無段階に、つまり段差なしにつながっており、換言すれば平らに若しくは平滑につながっており、研ぎ直し領域の、第１の側面に対して平行な第２の側面は、カッター刃の第２の側部に移行部（移行領域）を介してつながっている。
【００２０】
移行部は種々の目的に合わせて種々に形成されてよいものである。移行部は少なくとも１つの段部によって形成されている。若しくは移行部はカッター刃の両方の側面に無段階に、つまり段差なしにつながって、すなわち移行している（換言すれば、カッター刃の両方の側部の面は、中央の部分から移行部へ、かつ移行部から研ぎ直し領域へ滑らかに延びている）。本発明の実施態様では移行部は、横断面で見て少なくともほぼ直線形に、凸形又は凸曲線状に、凹形又は凹曲線状に、若しくは横置きにされて延ばされたＳ字の形、つまり波形に形成されている。
【００２１】
本発明の有利な実施態様では、移行部は少なくとも１つの円弧状の溝を備えている。段上に形成された若しくは１つ若しくは複数の溝を付けられた移行部は、切刃での材料への圧縮作用を助成し、送りブレードにとって効果的である。圧縮作用（押圧作用）を高めるために有利な実施態様では、移行部は、２つ若しくはそれより多くの円弧状の溝を備えており、これらの溝は、１つの直線若しくは１つの円弧線（凸曲線若しくは凹曲線）に沿って配列されている。溝は、溝の数がカッター刃の先端に向かって減少するように配置されていてよく、つまり溝は、順次に途中までしか延びていない、すなわち順次に途中で終わっていてよい。さらに溝は切刃に対して平行には延びておらず、つまり切刃の刃先に対して傾斜して延びている。
【００２２】
本発明のカッター刃においては、切刃の領域のみを変化させてあるのではなく、別の実施態様では、内側に位置する円弧状の面取り部は、円弧状の１つの溝若しくは円弧状の互いに平行若しくは並行に延びる複数の溝を備えている。このような構成によって、面取り部の作用を改善している。
【００２３】
移行部及び／又は面取り部の溝は、同一に若しくは互いに類似して形成されていてよい。溝の横断面は円弧面の形に、有利には弓形に形成されている。溝の横断面の大きさを変え若しくは大きさの比率を変えることによって、溝の作用を調整することもできる。実施態様では溝の幅は、溝の深さの複数倍である。互いに隣接の溝は同一の幅及び同一の深さを有し、若しくは同一の幅又は同一の深さを有していてよい。特に有利な実施態様では、隣接の溝は、該溝間の隆起部の頂部を画定しており、この場合に溝間の隆起部の頂部は有利には９０°±２０°の角度を有している。
【００２４】
さらに本発明は、カッターヘッドに関し、該カッターヘッドには、本発明に基づく前述の２つ若しくはそれより多き数のカッターブレードを組み込んであり、該カッターブレードは共通の１つの駆動軸に配置されており、この場合に有利には少なくとも１つのカッターブレードを送りブレード若しくはせき止めブレード又は押圧ブレードとして形成してある。特に有利には、１つのカッターヘッド内において、少なくとも１つのカッターブレードを送りブレードとして形成し、かつ別の少なくとも１つのカッターブレードをせき止めブレードとして形成してある。
【発明を実施するための最良の形態】
【００２５】
本発明の実施例を図面に示してあるものの、本発明は図示の実施例に限定されるものではない。複数のカッターブレードを同一平面内で１つの駆動軸に配置した実施例も可能である。図面において、
図１は、１つのカッターブレードの１つの実施例の側面図であり、この場合に寸法比は１：２であり、
図２は、図１のカッターブレードを図１の右側から見て示した端面図であり、
図３は、図１のカッターブレードを１８０°反転して示した側面図であり、
図４は、図１のＩＶ−ＩＶ線に沿った断面図であり、この場合に厚さを誇張（拡大）して示してあり、
図５は、別の実施例のカッターブレードを、図１のＩＶ−ＩＶ線に相当するＶ−Ｖ線に沿った断面図であり、
図６は、カッターブレードのさらに別の実施例の側面図であり、この場合に寸法比は１：２であり、
図７は、図６のＩＩ−ＩＩ線に沿った拡大断面図であり、
図８は、図６のＩＩＩ−ＩＩＩ線に沿った拡大断面図である。
【００２６】
カッターブレード１は、回転軸線Ｘ−Ｘを中心として円弧状に延びる取り付け部分２を有しており、該取り付け部分（固定区分又は緊定部分）は、回転軸線Ｘ−Ｘを中心とした半円形の１つの切欠き部３、位置決めピン（図示省略）の差し込みのための２つの位置決め孔４、並びに複数の貫通孔５を備えている。カッターブレードは、さらに取り付け部分２から延びる鎌形（若しくは三日月形）のカッター刃６を有しており、該鎌形のカッター刃（刃身）の外側（回転方向で前側）には、円弧状に延びる切刃７を設けてあり、該切刃（カッティングエッジ）は、内側の幅の広い刃面８と外側の幅の狭い刃面９と有している。切刃７の外側の端部、つまり先端側の端部（穂先）には、切刃７に対して鈍角の角度αを成す線によって画定された横手切刃１０を設けてある。カッター刃６の図面で見える第１の側部１１には、背側（棟側）に円弧状に延びる面取り部（アンダーカット部若しくは傾斜部）１２を設けてある。
【００２７】
カッターブレード１は、原理的には回転軸線Ｘ−Ｘに対して垂直（直角）に延びている。カッター刃６の第１の側部（側面）１１は、取り付け部分２の図１で見える側部（側面）と同一の面に位置している。取り付け部分２とカッター刃６の始端部とは、互いに同じ厚さ、つまり同一の厚さＤ（図２、参照）を有している。カッター刃６は第２の側部１３（図３、参照）に、図１及び図３に描かれた線１４から自由端部（先端部）へ延びるテーパー部１５を備えており、該テーパー部によってカッター刃６の厚さＤは、図２に示してあるように、カッター刃６の自由端部に向かって、厳密には横手切刃１０の前まで厚さＤ１に減少している（図２、参照）。テーパー部１５の傾斜は、回転軸線Ｘ−Ｘを中心とした半径のほぼ円弧の方向、つまり図１に示す直径線Ｄ−Ｄに対して平行な方向にも行われていてよく、図面に仮想の中央線として一点鎖線（図３）若しくは二点鎖線（図１及び図６）で描かれた中央の曲線１６にほぼ沿って行われている。
【００２８】
図１には、カッター刃６の断面Ｓを概略的に示してある。テーパー部１５の傾斜を中央の曲線１６に沿ってのみ付けてある場合には、両方の側部１１，１３の面は、切刃７と面取り部１２との間では、テーパー部１５の上記傾斜に対して横方向（垂直方向）で見て互いに平行である。
【００２９】
図４は別の実施例のカッターブレードのテーパー部１５′を、図１のＩＶ−ＩＶ線に沿った断面で示している。発明の理解を容易にするために、図２に示す厚さＤの縮尺と異なり、断面は著しく拡大（誇張）した厚さＤ′で示してある。テーパー部１５はここでは、カッターブレード６の回転方向で見てカッターブレード６の前側の厚さＤｖを後側の厚さＤｎよりも大きくするように、図面で下側の側部１１に対して傾斜されている。このような形状は、送り作用のあるいわゆる送りブレード（若しくは送りカッター刃）に用いられ、この場合にはＤｖ＝Ｄｈも可能である。
【００３０】
図５はさらに別の実施例のカッターブレードのテーパー部１５″を、図１のＩＶ−ＩＶ線に沿った断面で示している。テーパー部１５はここでは、カッターブレード６の前側の厚さＤｖ′を後側の厚さＤｎ′よりも小さくするように、側部１１に対して傾斜されている。このような形状は、せき止め作用若しくは蓄積作用のあるいわゆるせき止めブレード（若しくはせき止めカッター刃）に用いられる。
【００３１】
特に図４及び図５から明らかなように、テーパー部１５′，１５″により、カッターブレード１に、プロペラと同じ若しくは少なくとも類似の形状を付与することができるようになっている。いわゆるプロペラ形状の迎角の調節によって、カッターブレード１の特性はさらに、特に加工すべき種々の材料の特性に適合されるようになっている。特定の材料の加工のための種々のカッターブレード若しくはカッターヘッドを準備し或いは特別に製作することができるようになっている。
【００３２】
別の実施例ではカッターブレード１は、カッター刃６の切刃７と中央の領域１０８との間に、切刃７の全長にわたって延びる薄い研削領域１０９を有している。
【００３３】
図７には、図６のＩＩ−ＩＩ線に沿った断面（横断面）を拡大して示してある。切刃７の研削領域１０９の断面図には、切刃の傾斜部Ｓｎも示してある。研削領域１０９は、カッター刃６の中央の領域１０８の厚さＤｍのほぼ半分の厚さＤｎを有していて、互いに平行な２つの側面１１７，１１８を形成している。第１の側面１１７は、側部１３においてテーパー部１５の裏側、つまり図面で下側と同じ平面内を延びて、つまり無段階に側部１３につながって、すなわち移行している。これに対して第２の側面１１８は、移行部１２０を介してカッター刃６の側部１１につながって、すなわち移行しており、前記移行部（若しくは接続部又は連結部或いはつなぎ部分）は複数の溝１１９を備えている。各溝１１９は、湾曲して若しくは円弧状に延びていて、かつ横断面で見て円弧面若しくは弓形に或いは半円形に形成されていて、同一の幅Ｂｒ及び同一の深さＴｒを有しており、この場合に有利には幅Ｂｒは深さＴｒの複数倍である。円弧面は、湾曲線（若しくは円弧）とその両端を結ぶ弦によって画定された面（図形）を意味する。各溝１１９は、研削領域１０９の側面１１８とカッター刃６の側部１１とを結ぶ鎖線の直線１２１に沿って配列されており、溝１１９間の隆起部（稜線部）の頂部１２２は前記直線に接していて横断面で約９０°の角度βを有している。つまり、隣接の溝の側壁面は、該隣接の溝間の隆起部（稜線部若しくはリブ状部分又は畝状部分）の頂部を画定している。
【００３４】
図８には、図６のＩＩＩ−ＩＩＩ線に沿った断面を拡大して示してある。面取り部１２の領域には互いに平行に配列された複数の溝１２３を設けてあり、該溝は、前記研削領域の隣接部分に設けられた溝１１９と同じに、若しくは類似して形成されていて、溝間に同じく頂部１２４を画成している。溝１２３は、テーパー部１５若しくはカッター刃６の側部１３と接する鈍角の縁部（エッジ又は棟）１２５につながって、つまり通じている。
【図面の簡単な説明】
【００３５】
【図１】１つのカッターブレードの１つの実施例の側面図
【図２】図１のカッターブレードを図１の右側から見て示した端面図
【図３】図１のカッターブレードを１８０°反転して示した側面図
【図４】図１のＩＶ−ＩＶ線に沿った横断面図
【図５】カッターブレードの別の実施例の横断面図
【図６】カッターブレードのさらに別の実施例の側面図
【図７】図６のＩＩ−ＩＩ線に沿った拡大断面図
【図８】図６のＩＩＩ−ＩＩＩ線に沿った拡大断面図
【符号の説明】
【００３６】
１  カッターブレード、  ２  取り付け部分、  ３  切欠き部、  ４  位置決め孔、  ５  貫通孔、  ６  カッター刃、  ７  切刃、  ８、９  刃面、  １１  側部、  １２  面取り部、  １３  側部、  １５  テーパー部、  １０９  研ぎ直し領域、  １１７，１１８  側面、  １１９  溝、  １２０  移行部
【図１】
2010120149.tif 000003
【図２】
2010120149.tif 000004
【図３】
2010120149.tif 000005
【図４】
2010120149.tif 000006
【図５】
2010120149.tif 000007
【図６】
2010120149.tif 000008
【図７】
2010120149.tif 000009
【図８】
2010120149.tif 000010